(57)【特許請求の範囲】
【請求項１】
正の分散を有する光ファイバである正分散ファイバを収納して成る第１の光ファイバケーブルと、負の分散を有する光ファイバである負分散ファイバを収納して成る第２の光ファイバケーブルとの接続構造であって、前記第１の光ファイバケーブルと前記第２の光ファイバケーブルはそれぞれスロットロッドを内蔵し、このスロットロッドには複数の光ファイバ収容溝が形成され、該光ファイバ収容溝に光ファイバが収容されて、前記光ファイバケーブルはスロット型の光ファイバケーブルと成しており、前記第１の光ファイバケーブルおよび前記第２の光ファイバケーブルには、それぞれ、ほぼ同じ分散値を持つ複数本の光ファイバを１つのグループとして、分散値に応じてグループ分けされた光ファイバが、複数の光ファイバを並列させてテープ状に形成した光ファイバテープ心線の形態でもってそれぞれ予め定められた配設設定位置の光ファイバ収容溝に配設されており、前記第１の光ファイバケーブルの各配設設定位置に配設されている前記正分散ファイバが、前記各配設設定位置に対向する前記第２の光ファイバケーブルの各配設設定位置に配設されている前記負分散ファイバに接続されることにより、前記正分散ファイバと前記負分散ファイバは分散の絶対値がほぼ等しいもの同士が接続されるように各配設設定位置に配置されていることを特徴する光ファイバケーブルの接続構造。
【請求項２】
正の分散を有する光ファイバである正分散ファイバを収納して成る第１の光ファイバケーブルと、負の分散を有する光ファイバである負分散ファイバを収納して成る第２の光ファイバケーブルとの接続構造であって、前記光ファイバケーブルは複数のチューブを内蔵し、該チューブの内部に光ファイバが収容されて、前記光ファイバケーブルはチューブ型の光ファイバケーブルと成しており、前記第１の光ファイバケーブルおよび前記第２の光ファイバケーブルには、それぞれ、ほぼ同じ分散値を持つ複数本の光ファイバを１つのグループとして、分散値に応じてグループ分けされた光ファイバが、複数の光ファイバを並列させてテープ状に形成した光ファイバテープ心線の形態でもってそれぞれ予め定められた配設設定位置のチューブの内部に配設されており、前記第１の光ファイバケーブルの各配設設定位置に配設されている前記正分散ファイバが、前記各配設設定位置に対向する前記第２の光ファイバケーブルの各配設設定位置に配設されている前記負分散ファイバに接続されることにより、前記正分散ファイバと前記負分散ファイバは分散の絶対値がほぼ等しいもの同士が接続されるように各配設設定位置に配置されていることを特徴する光ファイバケーブルの接続構造。
【発明の詳細な説明】
【０００１】
【発明の属する技術分野】
本発明は、光通信に使用される光ファイバテープ心線および光ファイバケーブルおよびその接続構造に関するものである。
【０００２】
【従来の技術】
図１にはスロット型の光ファイバケーブルの一例が模式的な断面図により示されている。このスロット型の光ファイバケーブル１はスロットロッド２を内蔵しており、このスロットロッド２の外周部には光ファイバ収容溝３が複数本（図示の例では５本）形成され、また、このスロットロッド２の中心部には抗張力体４が形成されている。
【０００３】
上記光ファイバ収容溝３は光ファイバ５を収容するための溝である。この光ファイバ収容溝３に光ファイバ５が収容されてスロットロッド２の外側に繊維層６が形成され、さらに、その繊維層６の外側が被覆層７によって被覆されて光ファイバケーブル１が形成される。
【０００４】
図１に示す例では、上記光ファイバ５は図３に示すような光ファイバテープ心線８の形態でもって光ファイバ収容溝３に収容されている。上記光ファイバテープ心線８は図３に示すように光ファイバ５を複数本並列させてテープ状に形成したものである。なお、図１に示す例では、上記のように、光ファイバ収容溝３に収容される光ファイバ５は光ファイバテープ心線８の形態であったが、光ファイバ収容溝３に収容される光ファイバ５は光ファイバテープ心線８以外の形態である場合もあり、例えば、図示されていないけれども複数の光ファイバ５を撚り合わせた光ファイバ撚り線や、単体の光ファイバの形態である場合もある。
【０００５】
上記抗張力体４は上記光ファイバ収容溝３に収容される光ファイバ５に加えられる張力を低減して光ファイバ５を保護する機能を有しており、金属線や繊維強化プラスチック線等の単線や、それら金属線や繊維強化プラスチック線等を複数本撚り合わせた撚り線等が抗張力体として採用される。
【０００６】
また、図２にはチューブ型の光ファイバケーブルの一例が模式的な断面図により示されている。この光ファイバケーブル１は複数のチューブ１０を内蔵しており、これらチューブ１０の内部には、光ファイバ５とゼリー状の物質（ジェリー）１１が収容されている。上記光ファイバ５とジェリー１１が収容された複数のチューブ１０は上記したような抗張力体４の周りに配設され、その外側には繊維層６が形成され、さらに、その外側は被覆層７によって被覆されている。なお、図２に示す例では、チューブ１０の内部には単体状態の光ファイバ５が収容されていたが、例えば、光ファイバ５が前記光ファイバテープ心線８等の形態でもってチューブ１０の内部に収容されているもの等もあり、チューブ型の光ファイバケーブル１において光ファイバ５の収容形態は図２に示す形態に限定されない。
【０００７】
ところで、最近では、上記のような光ファイバケーブル１を利用して波長多重ＷＤＭ（wavelength division multiplexing）通信による信号の長距離伝送が行われている。この場合、光ファイバ５の持つ分散特性の悪影響を回避するために、次に示すような手段が講じられる場合がある。例えば、信号を長距離伝送する伝送側の光ファイバケーブルの光ファイバ５に次に示すような受信側の光ファイバ５を接続する。上記受信側の光ファイバ５は、上記伝送側の光ファイバ５が持つ分散特性と正負が逆の分散特性を有する光ファイバ（ＤＣＦ（dispersion compensating fiber））であり、上記伝送側の光ファイバ５を通ってきた信号を上記受信側の光ファイバ５に通すことによって、全分散を等価的に零にして光ファイバ５の分散特性の悪影響を回避することができる。
【０００８】
また、次に示すような手段が講じられる場合もある。例えば、次に示すような光ファイバ５（＋）と光ファイバ５（−）を交互に接続する。上記光ファイバ５（＋）は伝送波長で正の分散値を示す正の分散特性を持つ光ファイバ５であり、上記光ファイバ５（−）は上記光ファイバ５（＋）の分散値と正負が逆で、かつ、絶対値がほぼ等しい光ファイバ５である。これら光ファイバ５（＋）と光ファイバ５（−）を上記のようにほぼ１対１の長さ割合で交互に接続することにより、全分散を等価的に零にすることができる。
【０００９】
【発明が解決しようとする課題】
ところで、従来では、一般的に使用される同種の光ファイバ５における伝送波長での分散値は、全てほぼ等しいと見なされて使用されていた。しかしながら、例えば、光ファイバ５の分散値が１５ps／nm／kmであると見なされていても、実際には、同種の光ファイバ５間の分散値には、５ps／nm／km〜２５ps／nm／kmというように大きなばらつきがあった。
【００１０】
この光ファイバ５の分散値ばらつきのために、次に示すような問題が生じていた。例えば、上記の如く正の分散特性を持つ光ファイバ５（＋）と負の分散特性を持つ光ファイバ５（−）とを接続して、全分散を等価的に零にする手段を講じる場合に、例えば、分散値が１５ps／nm／kmである光ファイバ５（＋）に、−１５ps／nm／kmの分散値を持つ光ファイバ５（−）を接続したつもりでも、実際には、分散値が１０ps／nm／kmである光ファイバ５（＋）に、−２０ps／nm／kmの分散値の光ファイバ５（−）が接続されているという事態が多発してしまうこととなる。
【００１１】
このように、接続し合う一方側の光ファイバ５の分散値の絶対値と、他方側の光ファイバ５の分散値の絶対値が大きくずれてしまうと、全分散を等価的に零にすることはできないことから、従来では、上記の如く正の分散特性を持つ光ファイバ５（＋）と負の分散特性を持つ光ファイバ５（−）とを接続して全分散を等価的に零にしようとしても、なかなか、全分散を等価的に零にすることが困難であり、光ファイバケーブル１の伝送品質を向上させることができないという問題があった。
【００１２】
本発明は上記課題を解決するために成されたものであり、その目的は、波長多重通信を行う光ファイバケーブルの伝送品質の向上を容易にする光ファイバケーブルの接続構造に関するものである。
【００１３】
【課題を解決するための手段】
上記目的を達成するために、この発明は次に示す構成をもって前記課題を解決する手段としている。すなわち、第１の発明は、正の分散を有する光ファイバである正分散ファイバを収納して成る第１の光ファイバケーブルと、負の分散を有する光ファイバである負分散ファイバを収納して成る第２の光ファイバケーブルとの接続構造であって、前記第１の光ファイバケーブルと前記第２の光ファイバケーブルはそれぞれスロットロッドを内蔵し、このスロットロッドには複数の光ファイバ収容溝が形成され、該光ファイバ収容溝に光ファイバが収容されて、前記光ファイバケーブルはスロット型の光ファイバケーブルと成しており、前記第１の光ファイバケーブルおよび前記第２の光ファイバケーブルには、それぞれ、ほぼ同じ分散値を持つ複数本の光ファイバを１つのグループとして、分散値に応じてグループ分けされた光ファイバが、複数の光ファイバを並列させてテープ状に形成した光ファイバテープ心線の形態でもってそれぞれ予め定められた配設設定位置の光ファイバ収容溝に配設されており、前記第１の光ファイバケーブルの各配設設定位置に配設されている前記正分散ファイバが、前記各配設設定位置に対向する前記第２の光ファイバケーブルの各配設設定位置に配設されている前記負分散ファイバに接続されることにより、前記正分散ファイバと前記負分散ファイバは分散の絶対値がほぼ等しいもの同士が接続されるように各配設設定位置に配置されている構成をもって前記課題を解決する手段としている。
【００１４】
第２の発明は、正の分散を有する光ファイバである正分散ファイバを収納して成る第１の光ファイバケーブルと、負の分散を有する光ファイバである負分散ファイバを収納して成る第２の光ファイバケーブルとの接続構造であって、前記光ファイバケーブルは複数のチューブを内蔵し、該チューブの内部に光ファイバが収容されて、前記光ファイバケーブルはチューブ型の光ファイバケーブルと成しており、前記第１の光ファイバケーブルおよび前記第２の光ファイバケーブルには、それぞれ、ほぼ同じ分散値を持つ複数本の光ファイバを１つのグループとして、分散値に応じてグループ分けされた光ファイバが、複数の光ファイバを並列させてテープ状に形成した光ファイバテープ心線の形態でもってそれぞれ予め定められた配設設定位置のチューブの内部に配設されており、前記第１の光ファイバケーブルの各配設設定位置に配設されている前記正分散ファイバが、前記各配設設定位置に対向する前記第２の光ファイバケーブルの各配設設定位置に配設されている前記負分散ファイバに接続されることにより、前記正分散ファイバと前記負分散ファイバは分散の絶対値がほぼ等しいもの同士が接続されるように各配設設定位置に配置されている構成をもって前記課題を解決する手段としている。
【００１９】
上記構成の発明において、例えば、従来では同じ分散値を持つと見なされていた同種の光ファイバを、分散値に応じて複数のグループに分類し、光ファイバを光ファイバテープ心線の形態でもって、上記同一グループ内の光ファイバのみを、つまり、ほぼ同じ分散値を持つ光ファイバのみを並列させて構成する。
【００２０】
そして、光ファイバケーブルにおいては、正の分散を有する正分散ファイバを収納して成る第１の光ファイバケーブルと、負の分散を有する負分散ファイバを収納して成る第２の光ファイバケーブルとが形成され、前記第１の光ファイバケーブルおよび前記第２の光ファイバケーブルには、それぞれ、ほぼ同じ分散値を持つ１本以上の光ファイバを１つのグループとし、分散値に応じてグループ分けされた光ファイバがそれぞれ予め定められた配設設定位置に配設される。
【００２１】
その状態で、前記第１の光ファイバケーブルの各配設設定位置に配設されている前記正分散ファイバが、前記各配設設定位置に対向する前記第２の光ファイバケーブルの各配設設定位置に配設されている前記負分散ファイバに接続されることにより、前記正分散ファイバと前記負分散ファイバは分散の絶対値がほぼ等しいもの同士が接続される。つまり、それぞれの配設設定位置に定められた、ほぼ同じ値で正負が逆の分散特性を持つ第１の光ファイバケーブルの光ファイバと第２の光ファイバケーブルの光ファイバとがそれぞれ（対向して）接続される。
【００２２】
このように、本発明の光ファイバケーブルの接続構造を適用することにより、互いに分散値の正負が逆で、かつ、絶対値が等しい光ファイバ同士を確実に接続することができることとなり、全分散を等価的に零にすることが容易となり、光ファイバケーブルの伝送品質を向上させることができる。
【００２３】
【発明の実施の形態】
以下に、この発明に係る実施形態例を図面に基づき説明する。
【００２４】
この実施形態例において特徴的なことは、従来では分散値が等しいと見なされていた同種の光ファイバを分散値に応じて複数のグループに分類し、このようにグループ分けされた光ファイバを利用して、光ファイバテープ心線や光ファイバケーブルを構成し、その光ファイバケーブル同士を接続することである。なお、この実施形態例の説明において、前記従来例と同一構成部分には同一符号を付し、その共通部分の重複説明は省略する。
【００２５】
この実施形態例では、従来においては同じ分散値を持つと見なされていた同種の光ファイバ５を、より細かく分散値に応じてグループ分けし、例えば、図１に示すような光ファイバ５の配設設定位置である各光ファイバ収容溝３内に、あるいは、図２に示すような光ファイバ５の配設設定位置である各チューブ１０内に、それぞれ選択された分散値の同一グループ内の光ファイバ５のみを収容して光ファイバケーブル１が形成されている。
【００２６】
具体的に述べれば、例えば、図１や図２に示すような光ファイバケーブル１に収容される複数の光ファイバ５における分散値のばらつき範囲は予め求まり、そのばらつき範囲は適宜設定した２以上の数（例えば、光ファイバ収容溝３の数やチューブ１０の数）のグループ（階級）に細分化される。表１には、光ファイバ５の分散値のばらつき範囲がほぼ５ps／nm／km〜２５ps／nm／kmである場合に、その分散値のばらつき範囲を５つの分散値階級に細分化する際の階級分け（グループ分け）の一例が示されている。
【００２７】
【表１】
0004443676.tif 000002
【００２８】
また、表２には光ファイバ５の分散値のばらつき範囲がほぼ−１０ps／nm／km〜−２０ps／nm／kmである場合に、そのばらつき範囲を５つの分散値階級に細分化する際の階級分けの一例が示されている。
【００２９】
【表２】
0004443676.tif 000003
【００３０】
さらに、表３には光ファイバ５の分散値のばらつき範囲がほぼ−５ps／nm／km〜−２５ps／nm／kmである場合に、そのばらつき範囲を５つの分散値階級に細分化する際の階級分けの一例が示されている。
【００３１】
【表３】
0004443676.tif 000004
【００３２】
さらに、表４には光ファイバ５の分散値のばらつき範囲がほぼ５ps／nm／km〜２５ps／nm／kmである場合に、そのばらつき範囲を６つの分散値階級に細分化する際の階級分けの一例が示されている。
【００３３】
【表４】
0004443676.tif 000005
【００３４】
さらに、表５には光ファイバ５の分散値のばらつき範囲がほぼ−１０ps／nm／km〜−２０ps／nm／kmである場合に、そのばらつき範囲を６つの分散値階級に細分化する際の階級分けの一例が示されている。
【００３５】
【表５】
0004443676.tif 000006
【００３６】
この実施形態例では、従来では同一の分散値を持つと見なされていた同種の光ファイバ５は分散値に応じて上記のような分散値階級に、より細かく分類される。
【００３７】
この実施形態例では、光ファイバケーブル１において、光ファイバ５の各配設設定位置（光ファイバ収容溝３やチューブ１０）にはそれぞれ予め対応する上記分散値階級が定められている。具体的には、例えば、図１に示す光ファイバケーブル１では、トレーサマーク１２ａとトレーサマーク１２ｂに挟まれている第１の光ファイバ収容溝３ａには前記表１や表２や表３に示すような第１の分散値階級を対応させ、その右隣の第２の光ファイバ収容溝３ｂには前記表１や表２や表３に示すような第２の分散値階級を対応させ、さらに、その右隣の第３の光ファイバ収容溝３ｃには前記表１や表２や表３に示すような第３の分散値階級を対応させ、さらに、その右隣の第４の光ファイバ収容溝３ｄには前記表１や表２や表３に示すような第４の分散値階級を対応させ、さらにまた、その右隣の第５の光ファイバ収容溝３ｅには前記表１や表２や表３に示すような第５の分散値階級を対応させる。
【００３８】
また、図２に示す光ファイバケーブル１では、例えば、第１のチューブ１０ａには前記表４や表５に示す第１の分散値階級を対応させ、その右隣の第２のチューブ１０ｂには前記表４や表５に示す第２の分散値階級を対応させ、さらに、その右隣の第３のチューブ１０ｃには前記表４や表５に示す第３の分散値階級を対応させ、さらに、その右隣の第４のチューブ１０ｄには前記表４や表５に示す第４の分散値階級を対応させ、さらに、その右隣の第５のチューブ１０ｅには前記表４や表５に示す第５の分散値階級を対応させ、その右隣の第６のチューブ１０ｆには前記表４や表５に示す第６の分散値階級を対応させる。
【００３９】
上記のように、この実施形態例では、光ファイバケーブル１における光ファイバ５の各配設設定位置にはそれぞれ対応する分散値階級が定められており、各配設設定位置にはそれぞれ対応する分散値階級の光ファイバ５により形成される、次に示すような光ファイバテープ心線８が配設されている。
【００４０】
つまり、上記実施形態例においては、上記同一の分散値階級の光ファイバ５のみを、つまり、ほぼ同じ分散値を持つ光ファイバ５のみを並列させてテープ状に形成した光ファイバテープ心線８を適用する。
【００４１】
この実施形態例では、上記構成の光ファイバケーブル１を利用して、正の分散を有する光ファイバ（正分散ファイバ）５を収納して成る第１の光ファイバケーブルと、負の分散を有する光ファイバ（負分散ファイバ）５を収納して成る第２の光ファイバケーブルとの接続により、前述したような正の分散特性を持つ光ファイバ５と、負の分散特性を持つ光ファイバ５とを交互に接続して全分散を等価的に零にすることができる光ファイバケーブルの接続構造例を示す。
【００４２】
例えば、接続し合う図１に示すようなスロット型の光ファイバケーブル１の一方側の光ファイバケーブル１（第１の光ファイバケーブル）では、図１に示す第１の光ファイバ収容溝３ａには表１に示す第１の分散値階級の光ファイバ５が、第２の光ファイバ収容溝３ｂには表１に示す第２の分散値階級の光ファイバ５が、第３の光ファイバ収容溝３ｃには表１に示す第３の分散値階級の光ファイバ５が、第４の光ファイバ収容溝３ｄには表１に示す第４の分散値階級の光ファイバ５が、第５の光ファイバ収容溝３ｅには表１に示す第５の分散値階級の光ファイバ５が、それぞれ配設されている。
【００４３】
また、他方側の光ファイバケーブル１（第２の光ファイバケーブル）では、第１の光ファイバ収容溝３ａには表３に示す第１の分散値階級の光ファイバ５が、第２の光ファイバ収容溝３ｂには表３に示す第２の分散値階級の光ファイバ５が、第３の光ファイバ収容溝３ｃには表３に示す第３の分散値階級の光ファイバ５が、第４の光ファイバ収容溝３ｄには表３に示す第４の分散値階級の光ファイバ５が、第５の光ファイバ収容溝３ｅには表３に示す第５の分散値階級の光ファイバ５が、それぞれ配設されている。
【００４４】
上記一方側の光ファイバケーブル１のトレーサマーク１２ａ，１２ｂと、他方側の光ファイバケーブル１のトレーサマーク１２ａ，１２ｂとがそれぞれ対向するように位置合わせされており、つまり、一方側の第１の光ファイバ収容溝３ａが他方側の第１の光ファイバ収容溝３ａに、また、一方側の第２の光ファイバ収容溝３ｂが他方側の第２の光ファイバ収容溝３ｂにそれぞれ対向するというように、一方側の光ファイバ５の各光ファイバ収容溝３にはそれぞれ他方側の選択された光ファイバ５の光ファイバ収容溝３が対向されており、互いに対向し合う光ファイバ収容溝３に配設されている光ファイバ５同士が接続されている。
【００４５】
このように、この実施形態例において特徴的な光ファイバケーブル１の接続構造を採ることによって、互いに分散値の正負が逆で、かつ、分散値の絶対値が等しい光ファイバ５同士を確実に接続することができる。
【００４６】
この実施形態例によれば、従来では同じ分散値を持つと見なされていた同種の光ファイバ５をより細分化した分散値階級に応じてグループ分けし、同一グループ内の光ファイバ５のみにより光ファイバテープ心線８を構成し、あるいは、光ファイバケーブル１における各配設設定位置にはそれぞれ予め対応する分散値階級のグループ内の光ファイバ５のみを配設する構成であることから、光ファイバテープ心線８を構成する複数の光ファイバ５間の分散値のばらつきや、各配設設定位置内に配設されている複数の光ファイバ５の分散値のばらつきを殆ど無くすことができる。
【００４７】
また、光ファイバケーブル１における各光ファイバ収容溝３や各チューブ１０にはそれぞれ対応する分散値階級が定められており、その定められた分散値階級の光ファイバ５がそれぞれ対応する光ファイバ収容溝３やチューブ１０に配設されるので、各光ファイバ収容溝３やチューブ１０に配設されている光ファイバ５の詳細な分散値を明確化することができ、このことによって、光ファイバケーブル１内に収容されている多数の光ファイバ５の中から、所望の分散値を持つ光ファイバ５を容易に選択することができる。
【００４８】
また、この実施形態例では、接続し合う一方側の光ファイバケーブル１（第１の光ファイバケーブル）の各光ファイバ収容溝３や各チューブ１０と、それら各光ファイバ収容溝３や各チューブ１０に対向する他方側の光ファイバケーブル１（第２の光ファイバケーブル）の光ファイバ収容溝３やチューブ１０とにはそれぞれ互いに正負が逆となる分散値階級が定められており、それら対向している光ファイバ収容溝３やチューブ１０の光ファイバ５同士を接続するので、例えば、正の分散特性を持つ光ファイバ５（＋）に、該光ファイバ５（＋）の分散値と正負が逆で、かつ、絶対値が等しい分散値を持つ光ファイバ５（−）を、簡単、かつ、正確に接続することができることとなり、このことにより、前述したように光ファイバ５（＋）と光ファイバ５（−）を交互に接続して全分散を等価的に精度良く零にすることが可能となり、光ファイバケーブル１の伝送品質を格段に向上させることができる。
【００４９】
なお、この発明は上記実施形態例に限定されるものではなく、様々な実施の形態を採り得る。例えば、上記実施形態例では、図１に示すスロット型の光ファイバケーブル１では、スロットロッド２には光ファイバ収容溝３が５本形成されていたが、光ファイバ収容溝３の本数は適宜設定されるものであり、４本以下でもよいし、また、６本以上でもよい。また、各光ファイバ収容溝３に収容される光ファイバ５の本数も適宜設定されるものである。また、同様に、チューブ型の光ファイバケーブル１においても、光ファイバケーブル１内に内蔵されるチューブ１０の本数や、チューブ１０内に収容される光ファイバ５の本数は適宜設定されるものである。
【００５０】
さらに、上記実施形態例では、光ファイバ５の分散値のばらつき範囲は光ファイバ収容溝３の本数や、チューブ１０の本数に応じた階級数でもって区分されていたが、もちろん、光ファイバ収容溝３の本数や、チューブ１０の本数以外の数でもって分散値のばらつき範囲を区分し、それら区分された分散値階級でもって光ファイバ５を分類してもよい。
【００５１】
さらに、上記実施形態例では、光ファイバケーブル１内の各光ファイバ収容溝３や各チューブ１０にはそれぞれ互いに異なる分散値階級が定められていたが、例えば、図２に示す第１のチューブ１０ａと第４のチューブ１０ｄのように、対向し合う位置に配置されている光ファイバ収容溝３やチューブ１０には同じ分散値階級を与えてもよいという如く、１つの分散値階級を複数の光ファイバ収容溝３やチューブ１０に対応させてもよい。
【００５２】
さらに、上記実施形態例では、光ファイバ５の分散値のばらつき範囲は光ファイバ収容溝３の本数やチューブ１０の本数に応じた階級数に区分され、それら定められた各分散値階級は必ずそれぞれ１対１に対応する光ファイバ収容溝３やチューブ１０が定められていたが、例えば、光ファイバ５の分散値のばらつき範囲を、光ファイバ収容溝３の数やチューブ１０の数よりも大きい数の階級に区分し、それら分散値階級の中の選択された一部の階級だけがそれぞれ対応する光ファイバ収容溝３やチューブ１０を持つようにしてもよい。
【００５３】
さらに、図３に示す例では、光ファイバテープ心線８は４本の光ファイバ５を並列させて形成された４心の光ファイバテープ心線であったが、もちろん、この発明は４心以外の多心光ファイバテープ心線を適用して光ファイバケーブル１を形成してもよい。
【００５５】
【発明の効果】
この発明によれば、以下の効果を奏することができる。つまり、従来では同じ分散値を持つと見なされていた同種の光ファイバには、実際には、分散値に大きなばらつきがあったことから、光ファイバケーブルに収納される複数の光ファイバ間に分散値の大きなばらつきが生じている場合があったのに対して、この発明では、光ファイバを分散値に応じて、より細かくグループ分けするので、複数の光ファイバ間における分散値ばらつきが非常に少ない状態で、それぞれ予め定められた配設設定位置に配設される。
【００５６】
また、前記光ファイバは、複数の光ファイバを並列させてテープ状に形成した光ファイバテープ心線の形態でもって光ファイバの配設設定位置に配設されていることにより、光ファイバテープ心線は上記同一グループの光ファイバのみを用いて形成されることとなるので、ほぼ同じ分散値を持つ光ファイバのみによって形成された光ファイバテープ心線として、光ファイバケーブルの配設設定位置に配置できる。また、光ファイバケーブルを、スロット型の光ファイバケーブルや、チューブ型の光ファイバケーブルとすることにより、光ファイバ収容溝やチューブ等の各配設設定位置に配設されている複数の光ファイバの分散値をほぼ等しく、各配設設定位置における複数の光ファイバ間の分散値ばらつきを防止することができる。
【００５７】
このように、各配設設定位置にはほぼ同じ分散値を持つ光ファイバが配設されることによって、次に示すような光ファイバケーブルの接続構造を採り得ることが可能となる。
【００５８】
つまり、この発明によれば、上記のように、光ファイバをグループ分けして配置して、第１の光ファイバケーブルの各配設設定位置に配設されている前記正分散ファイバを、前記各配設設定位置に対向する前記第２の光ファイバケーブルの各配設設定位置に配設されている前記負分散ファイバに接続し、前記正分散ファイバと前記負分散ファイバは分散の絶対値がほぼ等しいもの同士が接続されるように各配設設定位置に配置するので、各光ファイバには該光ファイバの分散値と正負が逆で、かつ、絶対値がほぼ等しい分散値を持つ光ファイバが接続されている光ファイバケーブルの接続構造を採り得ることができる。
【００５９】
このような光ファイバケーブルの接続構造を採り得ることによって、換言すれば、接続し合う第１の光ファイバケーブルの光ファイバの各配設設定位置と、それら各配設設定位置に対向する第２の光ファイバケーブルの光ファイバの配設設定位置とに、それぞれ互いに正負が逆で、かつ、絶対値が同じとなる分散値のグループの光ファイバを配設しておき、それら対向する配設設定位置の光ファイバ同士を接続することによって、全分散を等価的に精度良く零にすることができ、この発明の光ファイバケーブルの接続構造を適用して接続した光ファイバケーブルの伝送品質を格段に向上させることができる。
【図面の簡単な説明】
【図１】スロット型の光ファイバケーブルの一例を模式的に示す断面図である。
【図２】チューブ型の光ファイバケーブルの一例を模式的に示す断面図である。
【図３】光ファイバテープ心線の一例を模式的に示す説明図である。
【符号の説明】
１  光ファイバケーブル
２  スロットロッド
３  光ファイバ収容溝
５  光ファイバ
８  光ファイバテープ心線
１０  チューブ
【図１】
0004443676.tif 000007
【図２】
0004443676.tif 000008
【図３】
0004443676.tif 000009